(57)【特許請求の範囲】
【請求項１】
正面視で各々が前後方向と直交し、且つ互いに略直交する第１の配列方向及び第２の配列方向に沿ってマトリクス状に配列された複数の光源と、
前後方向に沿って並設されて前記複数の光源の前方に配置され、当該複数の光源から出射された光を前方へ投影する少なくとも２つの投影レンズと、
を備え、
前記２つの投影レンズのうち、
一方の投影レンズは、後面及び前面のうち、少なくとも１つの面が、光源像を前記第１の配列方向に広げる機能を備える第１の機能面であり、
他方の投影レンズは、後面及び前面のうち、少なくとも１つの面が、光源像を前記第２の配列方向に広げる機能を備える第２の機能面であり、
前記一方の投影レンズの前記第１の機能面は、
滑らかに連続する連続面を第１の基本形状とするとともに、
前記複数の光源による光源像を前記第１の配列方向に広げるように、当該第１の機能面の中心を通り前記第１の配列方向と直交する線を分割線として前記第１の基本形状を前記第１の配列方向に複数に分割し、各分割面を当該分割線回りに回転させた面であり、
前記他方の投影レンズの前記第２の機能面は、
滑らかに連続する連続面を第２の基本形状とするとともに、
前記複数の光源による光源像を前記第２の配列方向に広げるように、当該第２の機能面の中心を通り前記第２の配列方向と直交する線を分割線として前記第２の基本形状を前記第２の配列方向に複数に分割し、各分割面を当該分割線回りに回転させた面であることを特徴とする車両用灯具。
【請求項２】
前記一方の投影レンズが後側に、前記他方の投影レンズが前側に配置され、
前記一方の投影レンズの前記第１の機能面は、当該一方の投影レンズの出射面であるとともに、前記第１の配列方向である左右方向に光源像を広げ、
前記他方の投影レンズの前記第２の機能面は、当該他方の投影レンズの入射面であるとともに、前記第２の配列方向である上下方向に光源像を広げることを特徴とする請求項１に記載の車両用灯具。
【請求項３】
前記第１の機能面及び前記第２の機能面の各々は、互いに回転角度の異なる複数種類の分割面を含んで構成されていることを特徴とする請求項１または２に記載の車両用灯具。
【請求項４】
前記第１の機能面及び前記第２の機能面の各々は、当該第１の機能面又は当該第２の機能面の内側と外側との２種類の分割面を含んで構成され、
前記２種類の分割面のうち、一方の分割面の前記回転角度が、他方の分割面の前記回転角度の略３倍であることを特徴とする請求項３に記載の車両用灯具。
【請求項５】
前記複数の光源の各々は、
平板状の基板に実装されたＬＥＤ素子であり、
前記第１の配列方向及び前記第２の配列方向に隣り合う他のＬＥＤ素子との間に、約０．２ｍｍの隙間を介在させていることを特徴とする請求項１〜４のいずれか一項に記載の車両用灯具。
【発明の詳細な説明】
【技術分野】
【０００１】
本発明は、車両に搭載される車両用灯具に関し、特に、所定の方向に配列された複数の光源を備える車両用灯具に関する。
【背景技術】
【０００２】
従来、車両に搭載される車両用灯具として、発光ダイオードなどの複数の光源を配列して用いるものが知られている（例えば、特許文献１参照）。特に近年では、周囲の環境等に応じて配光を変化させる可変配光型のヘッドランプが普及しつつあり、この種の車両用灯具においては、個別に点灯制御可能な多数の発光ダイオードを用いる構成が一般的である。
【０００３】
ところで、複数の光源を配列させる場合、これらを隙間なく並べることは極めて難しい。そのため、単純に複数の光源を発光させた場合には、その発光範囲内に光源間の隙間による暗部ができてしまい、配光に光度ムラが生じてしまう。よって、このような車両用灯具をヘッドランプや信号灯として用いた場合には、運転者の視認性低下や運転状況の誤認識などにより、運転の安全性が損なわれるおそれがある。
【０００４】
そこで、例えば特許文献２に記載の車両用灯具では、基板上に配列された多数の半導体光源が光透過性のチップカバーで覆われるとともに、このチップカバー内に光散乱性や光変換性を有する添加材料が充填されている。これにより、各半導体光源からの光が添加材料によって拡散されて、配光の光度ムラが抑制されるようになっている。
【先行技術文献】
【特許文献】
【０００５】
【特許文献１】特開２００１−２６６６２０号公報
【特許文献２】特表２００６−５２２４４０号公報
【発明の概要】
【発明が解決しようとする課題】
【０００６】
しかしながら、上記特許文献２に記載の車両用灯具では、添加材料による光の拡散を用いているため、その拡散程度を制御することが難しい。そのため、この車両用灯具を可変配光型のヘッドランプとして用いた場合に点灯状態の光源からの光が非点灯状態の光源の光路上に回り込んでしまうなどして、正確な配光制御が阻害されるおそれがある。
【０００７】
本発明は、上記課題を解決するためになされたもので、複数の光源による配光の光度ムラを抑制しつつ、より正確な配光制御を行うことができる車両用灯具の提供を目的とする。
【課題を解決するための手段】
【０００８】
上記目的を達成するために、請求項１に記載の発明は、車両用灯具であって、
正面視で各々が前後方向と直交し、且つ互いに略直交する第１の配列方向及び第２の配列方向に沿ってマトリクス状に配列された複数の光源と、
前後方向に沿って並設されて前記複数の光源の前方に配置され、当該複数の光源から出射された光を前方へ投影する少なくとも２つの投影レンズと、
を備え、
前記２つの投影レンズのうち、
一方の投影レンズは、後面及び前面のうち、少なくとも１つの面が、光源像を前記第１の配列方向に広げる機能を備える第１の機能面であり、
他方の投影レンズは、後面及び前面のうち、少なくとも１つの面が、光源像を前記第２の配列方向に広げる機能を備える第２の機能面であり、
前記一方の投影レンズの前記第１の機能面は、
滑らかに連続する連続面を第１の基本形状とするとともに、
前記複数の光源による光源像を前記第１の配列方向に広げるように、当該第１の機能面の中心を通り前記第１の配列方向と直交する線を分割線として前記第１の基本形状を前記第１の配列方向に複数に分割し、各分割面を当該分割線回りに回転させた面であり、
前記他方の投影レンズの前記第２の機能面は、
滑らかに連続する連続面を第２の基本形状とするとともに、
前記複数の光源による光源像を前記第２の配列方向に広げるように、当該第２の機能面の中心を通り前記第２の配列方向と直交する線を分割線として前記第２の基本形状を前記第２の配列方向に複数に分割し、各分割面を当該分割線回りに回転させた面であることを特徴とする。
【０００９】
請求項２に記載の発明は、請求項１に記載の車両用灯具において、
前記一方の投影レンズが後側に、前記他方の投影レンズが前側に配置され、
前記一方の投影レンズの前記第１の機能面は、当該一方の投影レンズの出射面であるとともに、前記第１の配列方向である左右方向に光源像を広げ、
前記他方の投影レンズの前記第２の機能面は、当該他方の投影レンズの入射面であるとともに、前記第２の配列方向である上下方向に光源像を広げることを特徴とする。
【００１０】
請求項３に記載の発明は、請求項１または２に記載の車両用灯具において、
前記第１の機能面及び前記第２の機能面の各々は、互いに回転角度の異なる複数種類の分割面を含んで構成されていることを特徴とする。
【００１１】
請求項４に記載の発明は、請求項３に記載の車両用灯具において、
前記第１の機能面及び前記第２の機能面の各々は、当該第１の機能面又は当該第２の機能面の内側と外側との２種類の分割面を含んで構成され、
前記２種類の分割面のうち、一方の分割面の前記回転角度が、他方の分割面の前記回転角度の略３倍であることを特徴とする。
【００１２】
請求項５に記載の発明は、請求項１〜４のいずれか一項に記載の車両用灯具において、
前記複数の光源の各々は、
平板状の基板に実装されたＬＥＤ素子であり、
前記第１の配列方向及び前記第２の配列方向に隣り合う他のＬＥＤ素子との間に、約０．２ｍｍの隙間を介在させていることを特徴とする。
【発明の効果】
【００１３】
本発明によれば、複数の光源の配列方向に分割されて回転された投影レンズの後面及び前面のうちの少なくとも１つの面によって、複数の光源による光源像がその配列方向に広げられる。
これにより、複数の光源間の隙間に対応した暗部が緩和され、ひいては配光の光度ムラが抑制される。また、投影レンズの上記少なくとも１つの面の分割態様や回転態様を適宜調整することによって、より正確な配光制御を行うことができる。
したがって、複数の光源による配光の光度ムラを抑制しつつ、より正確な配光制御を行うことができる。
【図面の簡単な説明】
【００１４】
【図１】実施形態及びその変形例での車両用灯具の要部を示す側断面図である。
【図２】ＬＥＤアレイの斜視図である。
【図３】実施形態での第一投影レンズを説明するための図である。
【図４】実施形態での第二投影レンズを説明するための図である。
【図５】２つの投影レンズが基本形状である場合における実施形態での車両用灯具が形成する投影像の光度分布を示す図である。
【図６】実施形態での車両用灯具による投影像の光度分布を示す図である。
【図７】実施形態の変形例での第一投影レンズを説明するための図である。
【図８】実施形態の変形例での第二投影レンズを説明するための図である。
【図９】実施形態の変形例での車両用灯具による投影像の光度分布を示す図である。
【図１０】投影レンズの外側の分割面の回転角度が内側の分割面の回転角度の略３倍ときに形成される投影像を説明するための図である。
【発明を実施するための形態】
【００１５】
以下、本発明の実施形態について、図面を参照して説明する。
【００１６】
図１は、本実施形態における車両用灯具１の要部を示す側断面図であり、図２は、車両用灯具１が備えるＬＥＤアレイ２の斜視図である。また、図３及び図４は、車両用灯具１が備える第一投影レンズ７及び第二投影レンズ８を説明するための図であって、それぞれの（ａ）が斜視図であり、（ｂ）が（ａ）のＣ−Ｃ線及びＤ−Ｄ線での断面図である。
【００１７】
車両用灯具１は、図示しない車両に搭載されるものであり、本実施形態においては、車両前部に搭載されるヘッドランプである。
具体的には、図１に示すように、車両用灯具１は、ＬＥＤ（発光ダイオード）アレイ２と、２つの投影レンズ７，８とを備えており、これら光学部材が、前後方向に沿った光軸Ｘ上に配列されて構成されている。
【００１８】
このうち、ＬＥＤアレイ２は、図２に示すように、複数（本実施形態では６つ）のＬＥＤ素子２１が、前後方向と直交する平板状の基板２２の前面に実装されて構成されている。複数のＬＥＤ素子２１は、各発光面を前方に向けた状態で、上下２段，左右３列のマトリクス状に配列されている。
本実施形態において、各ＬＥＤ素子２１は、約１ｍｍ角の大きさで２００ｌｍの光束を発光するものであり、上下左右に隣り合うものとの間に約０．２ｍｍの隙間を介在させている。
【００１９】
２つの投影レンズ７，８は、図１に示すように、後側（ＬＥＤアレイ２側）の第一投影レンズ７と前側の第二投影レンズ８とから構成され、前後方向に並設されてＬＥＤアレイ２の前方に配置されている。これら２つの投影レンズ７，８は、ＬＥＤアレイ２近傍の物側焦点と、前側遠方（本実施形態では約２５ｍ先）の像側焦点とを有しており、ＬＥＤアレイ２（複数のＬＥＤ素子２１）から出射された光を前方へ投影する。また、２つの投影レンズ７，８は、いずれも前面が凸面とされた凸レンズである。
【００２０】
また、２つの投影レンズ７，８は、複数のＬＥＤ素子２１からの光を前方へ投影すると同時に、この光を複数のＬＥＤ素子２１の配列方向（すなわち上下方向及び左右方向）に屈折させて当該複数のＬＥＤ素子２１による光源像を広げる機能を備えている。具体的に、２つの投影レンズ７，８は、複数のＬＥＤ素子２１からの光を投影するための基本形状を具備するとともに、当該基本形状における前面または後面が、複数のＬＥＤ素子２１による光源像を広げるように変形されている。
本実施形態における２つの投影レンズ７，８の基本形状での諸元を以下の表１に示す。なお、表中における「厚さ」「距離」とは光軸Ｘ上での各長さであり、また「ＬＥＤアレイからの距離」とは、ＬＥＤアレイ２から投影レンズ７，８の各後面（入射面）までの距離である。
【００２１】
【表１】
0006576705.tif 000002
【００２２】
２つの投影レンズ７，８のうち、後側の第一投影レンズ７は、図３（ａ）に示すように、光源像を左右方向に広げる機能をその前面（出射面）７１に備えている。
第一投影レンズ７の前面７１は、図３（ｂ）に示すように、滑らかに連続する連続面である基本形状（図３（ｂ）に二点鎖線で示す形状）を、光軸Ｘ上の頂点を通り上下方向に沿った仮想線を分割線として左半面７１１と右半面７１２とに分割し、当該分割線回りに個別に後側へ回転させた面であり、本実施形態では、０．２４°ずつ回転させている。
【００２３】
一方、前側の第二投影レンズ８は、図４（ａ）に示すように、光源像を上下方向に広げる機能をその後面（入射面）８１に備えている。
第二投影レンズ８の後面８１は、図４（ｂ）に示すように、滑らかに連続する連続面である基本形状（図４（ｂ）に二点鎖線で示す形状）を、光軸Ｘ上の頂点を通り左右方向に沿った仮想線を分割線として上半面８１１と下半面８１２とに分割し、当該分割線回りに個別に前側へ回転させた面であり、本実施形態では、０．２４°ずつ回転させている。
【００２４】
続いて、車両用灯具１によって形成される投影像（配光パターン）について説明する。
図５及び図６は、２つの投影レンズ７，８が基本形状である場合、及び、本実施形態の形状である場合において、車両用灯具１から約２５ｍ前方の仮想スクリーン上に形成される投影像の光度分布を示す図である。これら図５及び図６では、それぞれ（ａ）が、仮想スクリーン上での投影像の光度分布図であり、（ｂ）が、光軸Ｘから下側−０．５°位置（上下−０．５°位置）での投影像の左右方向の光度分布図であり、（ｃ）が、光軸Ｘを通る左右方向位置（左右０°位置）での投影像の上下方向の光度分布図である。
【００２５】
車両用灯具１では、ＬＥＤアレイ２の複数のＬＥＤ素子２１から前方へ出射された光が、２つの投影レンズ７，８によって前方へ投影されて、灯具前方に所定の投影像（配光パターン）が形成される。このときに形成される投影像は、２つの投影レンズ７，８の前面または後面によって光源像が変化したものとなる。
【００２６】
ここで、２つの投影レンズ７，８が基本形状のままである場合（すなわち２つの投影レンズ７，８の前面または後面が分割・回転されていない場合）には、図５（ａ）〜（ｃ）に示すように、複数のＬＥＤ素子２１の配列にそのまま対応した投影像が形成される。つまり、複数のＬＥＤ素子２１間の隙間が極めて暗い暗部として反映された、光度ムラのある投影像が形成されてしまう。
【００２７】
これに対し、本実施形態の車両用灯具１では、２つの投影レンズ７，８の前面または後面が左右または上下に分割されて回転されているため、当該２つの投影レンズ７，８によって光源像が上下方向及び左右方向にそれぞれ広げられる。具体的には、第一投影レンズ７の前面７１によって光源像が左右方向に広げられ、第二投影レンズ８の後面８１によって光源像が上下方向に広げられる。
【００２８】
その結果、図６（ａ）〜（ｃ）に示すように、前方に形成される投影像は、複数のＬＥＤ素子２１間の隙間に対応した暗部を有するものの、２つの投影レンズ７，８の前面または後面が連続面（すなわち基本形状）である場合のものに比べて、当該暗部の谷が浅く（つまり暗部での光度が高く）、光度ムラが抑制されたものとなる。
【００２９】
以上のように、車両用灯具１によれば、複数のＬＥＤ素子２１の配列方向に分割されて回転された第一投影レンズ７の前面７１及び第二投影レンズ８の後面８１によって、複数のＬＥＤ素子２１による光源像がその配列方向に広げられる。
これにより、複数のＬＥＤ素子２１間の隙間に対応した暗部が緩和され、ひいては配光の光度ムラが抑制される。また、第一投影レンズ７の前面７１及び第二投影レンズ８の後面８１の分割態様や回転態様を適宜調整することによって、より正確な配光制御を行うことができる。
したがって、複数のＬＥＤ素子２１による配光の光度ムラを抑制しつつ、より正確な配光制御を行うことができる。
【００３０】
なお、複数のＬＥＤ素子２１は、上下方向及び左右方向に沿ったマトリクス状に配列されていなくともよく、正面視で前後方向と直交する方向に沿って配列されていればよい。したがって、複数のＬＥＤ素子２１は、斜め前後方向に配列されていたり、一方向だけに配列されていたりしてもよいし、互いに直交していない２方向に沿って配列されていてもよい。
但し、この場合には、複数のＬＥＤ素子２１の配列方向に光源像を広げることができるように、第一投影レンズ７の前面７１や第二投影レンズ８の後面８１を適切に分割・回転させる必要があるのは勿論である。
【００３１】
また、投影レンズの数量は２つに限定されず、例えば１つだけでもよいし、３つ以上でもよい。
さらに、光源像を広げるように分割・回転される面は、投影レンズの数量に依らず、投影レンズの後面及び前面のうちの少なくとも１つの面であればよい。つまり、第一投影レンズ７の後面や第二投影レンズ８の前面が分割・回転されていてもよい。但し、当該面は、光軸Ｘに対してできるだけ平行に近い光が通る面であることが好ましい。
【００３２】
また、２つの投影レンズ７，８の前面７１または後面８１を分割する分割線は、光軸Ｘ上の頂点を通る線でなくともよい。２つの投影レンズ７，８の前後各面は、複数のＬＥＤ素子２１の配列方向（上下方向または左右方向）に複数に分割されて、光源像が当該配列方向に広がるように各分割面を回転させた面であればよい。
【００３３】
［変形例］
続いて、上記実施形態の変形例について説明する。なお、上記実施形態と同様の構成要素には同一の符号を付して、その説明を省略する。
図１は、本変形例における車両用灯具１Ｂの要部を示す側断面図である。また、図７及び図８は、車両用灯具１Ｂが備える第一投影レンズ７Ｂ及び第二投影レンズ８Ｂを説明するための図であって、それぞれ（ａ）が斜視図であり、（ｂ）が（ａ）のＥ−Ｅ線及びＦ−Ｆ線での断面図である。なお、図１では第二投影レンズ８Ｂの断面を簡便に図示しており、当該断面のより正確な形状は図８（ｂ）に示すものである。
【００３４】
図１に示すように、車両用灯具１Ｂは、２つの投影レンズ７，８に代えて２つの投影レンズ７Ｂ，８Ｂを備える点のみにおいて、上記実施形態における車両用灯具１と異なっている。
【００３５】
２つの投影レンズ７Ｂ，８Ｂのうち、第一投影レンズ７Ｂは、図７（ａ）に示すように、その前面７１Ｂが４つに分割されている点で、上記実施形態における第一投影レンズ７と異なっている。
第一投影レンズ７Ｂの前面７１Ｂは、光軸Ｘ上の頂点を通る左右中心線を境界線とする左内側面７１１Ｂ及び右内側面７１２Ｂと、その外側の左外側面７１３Ｂ及び右外側面７１４Ｂとの、左右方向の４面に分割されており、左右対称形状に形成されている。これら各面は、図７（ｂ）に示すように、上記実施形態における第一投影レンズ７の基本形状（図７（ｂ）に二点鎖線で示す）の該当部分を、光軸Ｘ上の頂点を通り上下方向に沿った仮想線を中心に、後側へ回転させた面となっている。
本変形例においては、第一投影レンズ７Ｂの前面７１Ｂのうち、外側の左外側面７１３Ｂ及び右外側面７１４Ｂの回転角度が、内側の左内側面７１１Ｂ及び右内側面７１２Ｂの回転角度の略３倍となっている。具体的には、左内側面７１１Ｂと右内側面７１２Ｂとが０．１３°ずつ回転させた面となっており、左外側面７１３Ｂと右外側面７１４Ｂとが０．４２°ずつ回転させた面となっている。また、左内側面７１１Ｂ及び右内側面７１２Ｂは、それぞれ約７．５ｍｍ幅に形成されている。この幅寸法は、ＬＥＤ素子２１の配光特性を考慮した上で、所望する光源像の広がり方が得られるように設定される。本変形例では、ＬＥＤ素子２１のランバーシアン特性を考慮し、ほぼ直線的な光源像の広がりが得られるように設定されている。
【００３６】
一方、第二投影レンズ８Ｂは、図８（ａ）に示すように、その後面８１Ｂが４つに分割されている点で、上記実施形態における第二投影レンズ８と異なっている。
第二投影レンズ８Ｂの後面８１Ｂは、光軸Ｘ上の頂点を通る上下中心線を境界線とする上内側面８１１Ｂ及び下内側面８１２Ｂと、その外側の上外側面８１３Ｂ及び下外側面８１４Ｂとの、上下方向の４面に分割されており、上下対称形状に形成されている。これら各面は、図８（ｂ）に示すように、上記実施形態における第二投影レンズ８の基本形状（図８（ｂ）に二点鎖線で示す）の該当部分を、光軸Ｘ上の頂点を通り左右方向に沿った仮想線を中心に、前側へ回転させた面となっている。
本変形例においては、第二投影レンズ８Ｂの後面８１Ｂのうち、外側の上外側面８１３Ｂ及び下外側面８１４Ｂの回転角度が、内側の上外側面８１３Ｂ及び下外側面８１４Ｂの回転角度の略３倍となっている。具体的には、上内側面８１１Ｂと下内側面８１２Ｂとが０．１３°ずつ回転させた面となっており、上外側面８１３Ｂと下外側面８１４Ｂとが０．４２°ずつ回転させた面となっている。また、上内側面８１１Ｂ及び下内側面８１２Ｂは、それぞれ約７．５ｍｍ幅に形成されている。この幅寸法は、第一投影レンズ７Ｂの前面７１Ｂにおける左内側面７１１Ｂ及び右内側面７１２Ｂと同様に、ＬＥＤ素子２１の配光特性を考慮した上で、所望する光源像の広がり方が得られるように設定される。
【００３７】
続いて、車両用灯具１Ｂによって形成される投影像（配光パターン）について説明する。
図９は、車両用灯具１Ｂから約２５ｍ前方の仮想スクリーン上に形成される投影像の光度分布を示す図であって、（ａ）が、仮想スクリーン上での投影像の光度分布図であり、（ｂ）が、光軸Ｘから下側−０．５°位置（上下−０．５°位置）での投影像の左右方向の光度分布図であり、（ｃ）が、光軸Ｘを通る左右方向位置（左右０°位置）での投影像の上下方向の光度分布図である。
【００３８】
車両用灯具１Ｂでは、ＬＥＤアレイ２の複数のＬＥＤ素子２１から前方へ出射された光が、２つの投影レンズ７Ｂ，８Ｂによって前方へ投影されて、灯具前方に所定の投影像（配光パターン）が形成される。
このとき、形成される投影像は、上記実施形態と同様に、分割されて回転された２つの投影レンズ７Ｂ，８Ｂの前面７１Ｂまたは後面８１Ｂによって光源像が上下方向及び左右方向に広げられる結果、全体的に光度ムラが抑制されたものとなる。
【００３９】
ここで、本変形例の２つの投影レンズ７Ｂ，８Ｂでは、互いに回転角度の異なる２種類の分割面が前面７１Ｂまたは後面８１Ｂに形成されている。つまり、第一投影レンズ７Ｂの前面７１Ｂは、互いに回転角度の異なる左内側面７１１Ｂ及び右内側面７１２Ｂと、左外側面７１３Ｂ及び右外側面７１４Ｂとに分割され、第二投影レンズ８Ｂの後面８１Ｂは、互いに回転角度の異なる上内側面８１１Ｂ及び下内側面８１２Ｂと、上外側面８１３Ｂ及び下外側面８１４Ｂとに分割されている。
そのため、当該２種類の分割面による光源像の拡大程度が互いに異なる結果、前方に形成される投影像は、図９（ａ）〜（ｃ）に示すように、図６に示す上記実施形態のもの（投影レンズの分割面の回転角度が１種類の場合のもの）に比べて、複数のＬＥＤ素子２１間の隙間に対応した暗部の谷がより浅く（つまり当該暗部での光度がより高く）、より光度ムラが抑制されたものとなる。
【００４０】
さらに、本変形例の２つの投影レンズ７Ｂ，８Ｂでは、前面７１Ｂまたは後面８１Ｂに形成された２種類の分割面のうち、外側の分割面の回転角度が、内側の分割面の回転角度の略３倍となっている。
これにより、図１０（ａ）に示すように、ベースとなる光源像Ｍが内側の分割面によって両側にｄずつシフトされて光源像Ｍ１が形成されるとすると、外側の分割面によって形成される光源像Ｍ２は両側に３ｄずつシフトされたものとなる。
そして、形成される投影像は、光源像Ｍ１と光源像Ｍ２とが重畳したものであるため、図１０（ｂ）に示すように、等間隔の階段状に変化する光度分布を有するものとなる。つまり、光源像Ｍをシフトさせた方向に光度が滑らかに変化する投影像が得られる。
【００４１】
以上のように、車両用灯具１Ｂによれば、互いに回転角度の異なる２種類の分割面が第一投影レンズ７Ｂの前面７１Ｂ及び第二投影レンズ８Ｂの後面８１Ｂに形成されている。
これにより、当該２種類の分割面による光源像の拡大程度が互いに異なる結果、上記実施形態のものよりもさらに光度ムラが抑制された投影像が形成される。つまり、複数のＬＥＤ素子２１による配光の光度ムラをさらに抑制することができる。
【００４２】
また、投影レンズ７Ｂ，８Ｂの前面７１Ｂまたは後面８１Ｂでは、外側の分割面の回転角度が内側の分割面の回転角度の略３倍であるので、光源像をシフトさせた方向に光度が滑らかに変化する投影像を得ることができる。
なお、内側の分割面の回転角度が外側の分割面の回転角度の略３倍となるように構成した場合でも、同様の効果を得ることができる。
【００４３】
［他の変形例］
なお、本発明を適用可能な実施形態は、上述した実施形態やその変形例に限定されることなく、本発明の趣旨を逸脱しない範囲で適宜変更可能である。
【００４４】
例えば、上記実施形態の変形例においては、２つの投影レンズ７Ｂ，８Ｂの前面または後面での分割面の種類数は特に限定されず、当該２つの投影レンズ７Ｂ，８Ｂの前面または後面が、３種類以上の分割面を含んで構成されていてもよい。
【００４５】
また、本発明に係る車両用灯具は、ヘッドランプ以外の車両用灯具にも広く適用可能である。
【符号の説明】
【００４６】
１，１Ｂ      車両用灯具
２            ＬＥＤアレイ
２１        ＬＥＤ素子（光源）
７，７Ｂ      第一投影レンズ
７１，７１Ｂ  前面
７１１    左半面
７１２    右半面
７１１Ｂ  左内側面
７１２Ｂ  右内側面
７１３Ｂ  左外側面
７１４Ｂ  右外側面
８，８Ｂ      第二投影レンズ
８１，８１Ｂ  後面
８１１    上半面
８１２    下半面
８１１Ｂ  上内側面
８１２Ｂ  下内側面
８１３Ｂ  上外側面
８１４Ｂ  下外側面
Ｘ            光軸
【図１】
0006576705.tif 000003
【図２】
0006576705.tif 000004
【図３】
0006576705.tif 000005
【図４】
0006576705.tif 000006
【図５】
0006576705.tif 000007
【図６】
0006576705.tif 000008
【図７】
0006576705.tif 000009
【図８】
0006576705.tif 000010
【図９】
0006576705.tif 000011
【図１０】
0006576705.tif 000012